(57)【要約】【課題】  室内に設置される置き時計を模った室内用アンテナであって、帯域幅が広く、室内に設置する場合にインテリアとしての効果があり、しかも小型であって製作コストも安い室内用ループアンテナの提供。【解決手段】  裏面板５と正面板９の間には導電性に優れた導体板１２にて構成したループアンテナと写真８を挟み込み、裏面板５には駆動部４を取付け、駆動部４から延びる駆動軸１３を裏面板５、上記写真８、及び表面板９の中央に設けた穴１０，１１，１２を貫通し、表面板側に備えた針１，２を駆動軸１３に取付け、さらにアンテナ６に設けたコネクタ１４を裏面板５の穴１５から突出している。【選択図】    図３
2008067137.tif 000002
【特許請求の範囲】
【請求項１】
室内に設置又は掛けることが出来る時計を模った室内アンテナにおいて、少なくとも導電性に優れた導体板にて構成したアンテナと時計の駆動部を備えたデジタル放送用の室内アンテナ。
【請求項２】
上記アンテナがループアンテナである請求項１記載のデジタル放送用の室内アンテナ。
【請求項３】
室内に設置又は掛けることが出来る時計を模った室内アンテナにおいて、裏面板と正面板の間には導電性に優れた導体板にて構成したループアンテナを挟み込み、裏面板には駆動部を取付け、駆動部から延びる駆動軸を裏面板及び表面板の中央に設けた穴を貫通して表面板側に備えた針を該駆動軸に取付け、さらにループアンテナに設けたコネクタを裏面板又は表面板から突出したことを特徴とするデジタル放送用の室内アンテナ。
【請求項４】
室内に設置又は掛けることが出来る時計を模った室内アンテナにおいて、裏面板と正面板の間には導電性に優れた導体板にて構成したループアンテナを挟み込み、裏面板には駆動部を取付け、駆動部から延びる駆動軸を裏面板及び表面板の中央に設けた穴を貫通して表面板側に備えた針を該駆動軸に取付け、さらにループアンテナからテレビに接続するケーブルを導き出したことを特徴とするデジタル放送用の室内アンテナ。
【請求項５】
上記アンテナの導体板を基板に貼着して枠板に嵌め、該枠板を裏面板と表面板の間に挟み込んだ請求項３、又は請求項４記載のデジタル放送用の室内アンテナ。
【請求項６】
上記導体板を両基板にて挟んでアンテナとし、これを上記枠板に嵌めた請求項５記載のデジタル放送用の室内アンテナ。
【請求項７】
上記表面板を透明な材質で構成すると共に、表面板とアンテナとの間に写真や図柄を形成したシートを挟み込んだ請求項３、請求項４、請求項５、又は請求項６記載のデジタル放送用の室内アンテナ。
【発明の詳細な説明】
【技術分野】
【０００１】
本発明は小型であるに関らず帯域幅が広く、インテリアとしての効果を備えたデジタル放送用の室内アンテナに関するものである。
【背景技術】
【０００２】
デジタル放送用のアンテナには色々な型式が存在しているが、その中の代表的なアンテナとしてループアンテナが知られている。ループアンテナとは、ワイヤーを円形リング状や四角形リング状に丸めた形状とし、これを受信機へ接続している。一周の長さが同じであれば、その形状が円形でも四角形でも、又は三角形であってもアンテナとしての性能は同じである。該ループアンテナは、目的の電波に同調したときに威力を発揮し、ループと可変コンデンサーで、目的の電波の周波数に同調したときに感度が大きく向上する。
【０００３】
ループの巻き数は周波数のカバー範囲に密接な関係があり、巻き数が多過ぎると周波数が下がって高い周波数領域をカバーすることが出来なくなる。また、巻き数が少ないと高い周波数の方へ移行して低い周波数領域がカバー出来なくなる。そこで、形を大型にしたときは巻き数を減らし、小型にしたときは巻き数を増やしている。このように、ループアンテナはワイヤーを巻いて作ることが出来るために製作は簡単であるが、指向性があって弱い電波を受ける場合には該ループアンテナを廻して適当な向きを探すことが必要となる。
【０００４】
特開２００５−４５３３１号に係る「広帯域アンテナ素子および広帯域室内アンテナ」は、簡単な構造で広帯域に亘る周波数の電波を受信するアンテナ素子であり、四辺形に形成された導電性の導体板と、この導体板のほぼ中央に位置して互いに対向する辺縁部同士の距離が漸増もしくは漸減する形状の開口部よりなる切抜き孔と、この切抜き孔に連接して開口し前記導体板の一辺へ到達する連通孔と、この連通孔を挟む近傍にそれぞれ設けられた一対の給電点とを有し、前記導体板にて受信した電波を前記給電点に電気信号として給電することが出来る。
【０００５】
特開平１１−１８６８３６号に係る「スロットアンテナ」は、導体板に直線状のスロットを開け、給電線により導体板に給電を行うスロットアンテナであり、スロット形状をＴ字型として、給電を行う周波数の波長をλとした場合、Ｔ字型スロットの縦部の寸法を略λ／４とし、横部の寸法を略λ／２としている。従って、従来の十字型スロットをもつものよりも小さく出来、小型化できる。
【０００６】
これらのアンテナはその基本形態はループアンテナであり、ワイヤーループの代わりに導体板を用いている。該導体板を使用することで受信面積が拡大して広帯域に亘る周波数の電波を受信することが出来、しかも形状は小型化される。今後の主流となる地上デジタル放送の周波数は４７０ＭＨｚ〜７７０ＭＨｚと帯域幅が大きく、これらを受信できる性能のアンテナでなくてはならない。しかし、これらのループアンテナを室内に設置したのでは部屋空間の雰囲気を損なうことが多い。
【特許文献１】特開２００５−４５３３１号に係る「広帯域アンテナ素子および広帯域室内アンテナ」
【特許文献２】特開平１１−１８６８３６号に係る「スロットアンテナ」
【発明の開示】
【発明が解決しようとする課題】
【０００７】
このように、導体板を用いたループアンテナは小型でありながら広帯域に亘る周波数の電波を受けることが出来るが、次世代のワイヤレスLANシステム用アンテナとしてより広帯域VSWR特性を持つアンテナが必要となる。本発明はVSWR２以下の帯域幅が広く、室内に設置する場合にインテリアとしての効果があり、しかも小型であって製作コストも安くて構造の簡単なデジタル放送用の室内アンテナを提供する。勿論、アンテナの型式はループアンテナに限定するものではない。
【課題を解決するための手段】
【０００８】
本発明に係るデジタル放送用の室内アンテナは、置き時計又は掛け時計を模ったアンテナとして構成している。そこで、導電性に優れた導体板にて構成したアンテナを時計内に収容し、時計としての機能とアンテナとしての機能を兼ね備えている。ここで、時計としての具体的な構造並びに形態は限定しないが、表面板の表面には針が取付けられ、裏面板に取着した駆動部によって上記針を駆動することが出来る。そして、アンテナからアンテナコネクタが裏側又は表側へ延び、テレビのコネクタと接続可能とする。又、アンテナから直接ケーブルを導き出すこともある。そして、上記表面板と収容したアンテナとの間に写真や図形を形成したシールを挟み込む構造とすることも出来る。
【発明の効果】
【０００９】
本発明に係るデジタル放送用の室内アンテナの外観は置き時計としての外観を呈している為に、室内に設置できるインテリアとしての効果を備えている。また、表面板とアンテナの間には写真などのシールを挟むことが出来る為に、好みの写真を挟んだ写真盾としても利用可能となる。特に、導電性に優れた導体板を用いて構成した平面ループアンテナを内蔵することで、受信できる周波数帯域が広く、感度も良好となることで、室内アンテナとしてデジタル放送の受信が十分可能と成る。
【実施例】
【００１０】
図１、図２は本発明に係るデジタル放送用の室内アンテナの外観を示している実施例であり、図１は斜視図、図２は正面図と側面図を表している。この室内アンテナは室内に設置する置き時計としての外観を呈し、正面には時刻を刻む２本の短針１，長針２が設けられ、裏側には該短長針１，２を駆動する駆動部４が取付けられている。ここで、駆動部４は従来の時計に用いられているものと共通している為に説明は省略する。そして、置き時計がテーブルや台の上に転倒することなく起立して置くことが出来るように脚３を取付けている。
【００１１】
図３は脚３を除いた展開図を表しているが、同図に示すように複数枚の板材が積層した構造となっている。同図の５は裏面板、６はアンテナ、７は枠板、８は写真、９は表面板を夫々表している。概略長方形をしたアンテナ６は枠板７に嵌り、この状態で裏面板５に重ねられ、そして枠板７に嵌ったアンテナ６の表面には写真８が重なり、さらに表面板９が重ね合わされる。
【００１２】
裏面板５、写真８、及び表面板９の中央には穴１０，１１，１２が貫通して設けられ、これら穴１０，１１，１２に駆動部４の駆動軸１３が嵌り、表面板９の表面に配置される短針１と長針２が駆動軸１３に取付けられる。枠板７に嵌ったアンテナ６にはコネクタ１４が取着され、このコネクタ１４は裏面板５に貫通した穴１５から突出し、テレビのアンテナケーブルが該コネクタ１４に接続される。
【００１３】
ここで、上記写真８は自分の好みに応じて適当なものを選ぶことが出来、勿論、自分で撮った写真８を所定のサイズに引き伸ばすと共に裁断して挟むことも出来る。ところで、裏面板５、アンテナ６が嵌った枠板７、写真８、表面板９は積層され、四隅がネジ止めされる。裏面板５、枠板７、写真８の四隅には穴が貫通し、表面板９の四隅にはネジ穴が設けられている。そこで、裏から挿通したネジ１６，１６・・は表面板９のネジ穴に螺合して締め付けられる。
【００１４】
図４は上記アンテナ６の具体例を示している。同図の１６は基板、１７は導体板を表し、基板１６は一般に樹脂製板が使用され、導体板１７としては導電性の良好な金属板であり、例えば銅板、真鍮板、アルミ板、スチール板などが使用される。この導体板１７は四角形の樹脂製基板１６の表面に貼着されている。ここで、導体板１７の貼着方法は色々あり、接着剤にて固着したりピン止めすることが出来る。
【００１５】
ところで、導体板１７はループ形状を成して、中央部には長方形の開口１８を形成し、そして導体板１７の一部が切欠かれて切欠き部１９を有し、切欠き部１９は上記開口１８に連通している。そして、該導体板１７の外形も長方形であるが、基板１６より小さくなっている。しかし、導体板１７の外形と基板１６の外形を同じ大きさの長方形とすることもある。
【００１６】
上記アンテナ６は基板１６に導体板１７を貼着した構造としているが、該基板１６を用いないで裏面板５を基板として用いることも出来る。この場合には、導体板１７を裏面板５に貼着し、そして枠板７も使用しないで写真８をアンテナ面に重ねることが出来る。逆に、導体板１７を２枚の基板１６，１６にて挟み込んだ構造とする場合もある。
【００１７】
図５は本発明の平面ループアンテナの具体的な導体板を示している場合であり、外形の幅寸法Ｌ＝２４０ｍｍ、開口の幅寸法Ｍ＝１０８ｍｍ、切欠き部の幅寸法ｄ＝１２ｍｍ、そして外形の高さ寸法は２４０ｍｍ、導体板の幅寸法ｒ＝６６ｍｍとしている。アンテナから導き出されるケーブルは切欠き部を挟んだ両端に接続される。又、コネクタ１４はその外周と内周とに夫々接続される。
【００１８】
図６は上記図５の導体板を備えた平面ループアンテナのＶＳＷＲ特性を示しており、同図から明らかなようにＶＳＷＲ＜２の周波数は４３０ＭＨｚ〜１０３０ＭＨｚと成っている。すなわち、図５のループアンテナはこの帯域の周波数を受信することが可能である。そこで、この比帯域幅は８２．２％となり、十分な所要帯域を備えている。
【００１９】
図７はＸ−Ｙ面内の放射指向性を表し、図８はＸ−Ｚ面内の放射指向性を表している。ここで、上記図５に示す導体板１７の方向、すなわち室内用ループアンテナが設置される面はＹ−Ｚである。Ｙ−Ｚ面に室内用ループアンテナを設置した状態でのＸ−Ｙ面内の放射指向性、Ｘ−Ｚ面内の放射指向性を上記図７および図８にそれぞれ表している。
【図面の簡単な説明】
【００２０】
【図１】本発明に係る室内用ループアンテナを示す斜視図。
【図２】本発明に係る室内用ループアンテナの正面図と側面図。
【図３】本発明に係る室内用ループアンテナの展開図。
【図４】本発明の室内用ループアンテナを構成するアンテナ部分。
【図５】導体板の具体例。
【図６】図５の導体板を備えたアンテナのＶＳＷＲ特性。
【図７】図５の導体板がＹ−Ｚ面内にあるアンテナのＸ−Ｙ面内の放射指向性を表している。
【図８】図５の導体板がＹ−Ｚ面内にあるアンテナのＸ−Ｚ面内の放射指向性を表している。
【符号の説明】
【００２１】
１  短針
２  長針
３  脚
４  駆動部
５  裏面板
６  アンテナ
７  枠板
８  写真
９  表面板
10  穴
11  穴
12  穴
13  駆動軸
14  コネクタ
15  穴
16  基板
17  導体板
18  開口
19  切欠き部
20  ネジ
【図１】
2008067137.tif 000003
【図２】
2008067137.tif 000004
【図３】
2008067137.tif 000005
【図４】
2008067137.tif 000006
【図５】
2008067137.tif 000007
【図６】
2008067137.tif 000008
【図７】
2008067137.tif 000009
【図８】
2008067137.tif 000010